(57)【要約】【課題】訪問入浴車の貯水タンクへの給水にあたって、給水ホースのつぶれや折れを防ぐとともに異物の流入を防止するためのホースアダプタを提供する。【解決手段】ホースアダプタ２０は、訪問入浴車の貯水タンク１に給水するための給水ホース１３に接続して用いられる。このホースアダプタ２０は、給水ホース１３が接続される略Ｌ字型のカップリング２２と、貯水タンク１から略上方に向かって延出する細長いチューブ状の給水孔１０に差し込まれる給水管２４と、前記カップリング２２と給水管２４との間に設けられた濾過器２６とを有し、前記給水管２４が給水孔１０に差し込まれた状態で濾過器の本体部２６ｂが給水孔１０をなすチューブの外側に隣接して位置するように構成している。給水管２４としては、金属製のフレキ管が用いられる。【選択図】　図３
2004113288.tif 000002
【特許請求の範囲】
【請求項１】
少なくとも貯水タンク、給湯機器および送出ポンプを備えた車両に持ち運び可能な浴槽を搭載し、訪問先に出向いて高齢者などを入浴させる訪問入浴サービスに用いられる訪問入浴車の前記貯水タンクに給水するための給水ホースに接続して使用する訪問入浴車用ホースアダプタであって、
該ホースアダプタは、給水ホースが接続されるカップリングと、前記貯水タンクから略上方に向かって延出する細長いチューブ状の給水孔に差し込まれる給水管と、前記カップリングと前記給水管との間に設けられた濾過器とを有し、
前記給水管が前記給水孔に差し込まれた状態で前記濾過器の本体部が前記給水孔をなすチューブの外側に隣接して位置するように構成したことを特徴とする訪問入浴車用ホースアダプタ。
【請求項２】
前記給水管と前記濾過器の本体部の一部とで、前記給水孔をなすチューブを部分的に挟持可能になっている請求項１に記載の訪問入浴車用ホースアダプタ。
【請求項３】
前記給水管は、前記濾過器の上部から延出するフレキ管から構成されている請求項１または２に記載の訪問入浴車用ホースアダプタ。
【請求項４】
前記カップリングは、前記濾過器の上部の前記給水管が取り付けられた部分の反対側に回転可能に取り付けられている略Ｌ字型のカップリングからなる請求項１または２に記載の訪問入浴車用ホースアダプタ。
【請求項５】
前記濾過器の上部には、流入口と排出口とが設けられており、該流入口と排出口は斜め下向きのほぼ直線上に位置し、前記流入口には前記略Ｌ字型カップリングが連結され、また前記排出口には前記給水管が連結されており、前記濾過器の本体部は前記上部から下向きに延出している請求項４に記載の訪問入浴車用ホースアダプタ。
【発明の詳細な説明】
【０００１】
【発明の属する技術分野】
本発明は、訪問入浴サービスに用いられる訪問入浴車の貯水タンクに給水するための給水ホースに用いられる訪問入浴車用ホースアダプタに関する。
【０００２】
【従来の技術】
訪問入浴サービスは、貯水タンクや給湯機器や送出ポンプを備えるとともに持ち運び可能な浴槽を搭載した訪問入浴車両で訪問先に出向き、室内まで浴槽を搬入し、前記給湯機器で沸かしたお湯を送出ポンプで浴槽に入れて、高齢者などを入浴させるサービスである。この訪問入浴車の貯水タンクは、車種によっても異なるが、一般に１００〜３００リットル程度の容積を有するが、一回の入浴で通常１００〜２５０リットル程度のお湯を使うことから、訪問先で給水することが必要となる。この給水には、通常は、車両に搭載してある給水ホースを使って、訪問先の水道や井戸の蛇口につなげて給水する。また、訪問先の水道や井戸の蛇口にホースが針金などで外れないように取り付けられている場合には、そのホースを借りて給水をすることもある。
【０００３】
このような給水をする場合、貯水タンクから略上方に向かって延出する細長いチューブ状の給水孔にホースを差し込んで給水を行う。
【０００４】
【発明が解決しようとする課題】
しかしながら、給水孔の形状が上述したように貯水タンクから略上方に向かって延出する細長いチューブ状なっていることから、給水の際にホースを差し込むと、ホースが給水孔の入り口のところで折れてつぶれてしまい、ホース内の水圧が高くなってホースが蛇口から外れてしまうことがある。そのため、従来は、移動入浴車の後部開閉ドアのダンパーにホースを引っ掛けてなだらかなカーブを描かせて上側から給水孔に差し込むなどして、ホースが折れないようにして給水を行っていたが、そのようなホースの引き回しは面倒なだけでなく、そのようにしても依然としてホースが折れてしまうこともあった。
【０００５】
また、給水ホースの準備や撤収をする際、ホースを地面に這わせることになるが、そのような作業中にホースに砂やごみが付着し、そのような砂やごみが給水タンク内に入ってしまうことがある。さらに、前述した訪問先のホースを使う場合、そのようなホースは長い間屋外に放置されているので、内部に藻が発生し、給水の際に貯水タンクに藻が流入してしまうという問題もある。このように貯水タンク内に砂やごみや藻が流入すると、給湯用ポンプ手前に設置してあるフィルターが詰まったり、通り抜けた砂などによりポンプの羽根車とケースの間に挟まってしまい運転不能になってしまうなどの問題が発生する。
【０００６】
これらの問題を解消すべく、実際の作業現場では、給水孔に洗濯機用ゴミ取り網をつけたりストッキングを取り付けたりしているが、ホースが水圧で外れないようにしようと奥に突っ込みすぎて網を破ってしまったり、ストッキングをタンク内に入れてしまい配管を詰まらせてしまったりする問題が起きている。また、試作でネット状のゴミ濾し器を取り付けることも試みたが、網目が粗いとゴミが通過してしまい、また網目が細かいと水を出しすぎた場合やゴミが付着し網目を塞いでしまい給水孔からより水が溢れて車内が水浸しになってしまうといった問題が起きている。
【０００７】
本発明は、以上の問題点に鑑みなされたもので、給水孔への給水の際のホースの折れを防止するとともに貯水タンクへの砂や藻などの流入を防止できる訪問入浴車用ホースアダプタを提供することを目的とする。
【０００８】
【課題を解決するための手段】
上述した目的を解決するために、本発明は、少なくとも貯水タンク、給湯機器および送出ポンプを備えた車両に持ち運び可能な浴槽を搭載し、訪問先に出向いて高齢者などを入浴させる訪問入浴サービスに用いられる訪問入浴車の前記貯水タンクに給水するための給水ホースに接続して使用する訪問入浴車用ホースアダプタであって、
該ホースアダプタは、給水ホースが接続されるカップリングと、前記貯水タンクから略上方に向かって延出する細長いチューブ状の給水孔に差し込まれる給水管と、前記カップリングと前記給水管との間に設けられた濾過器とを有し、
前記給水管が前記給水孔に差し込まれた状態で前記濾過器の本体部が前記給水孔をなすチューブの外側に隣接して位置するように構成したことを特徴とする。
【０００９】
上記構成を有する訪問入浴車用ホースアダプタを使用すれば、カップリングに給水ホースを取り付けて給水管を給水孔に差し込むだけで、貯水タンクへ給水することができ、ホースが折れることがなく、また給水管が給水孔に差し込まれた状態で前記濾過器の本体部が前記給水孔をなすチューブの外側に隣接して位置することができるようになっているので、安定した給水作業を行うことができ、さらに直接ホースを給水孔に差し込まずしかもカップリングと給水管の間に濾過器が設けられているので、ホースに付着した砂やホース内部の藻などが貯水タンクへ流入することを確実に防止できる。
【００１０】
本発明において、好ましくは、前記給水管と前記濾過器の本体部の一部とで、前記給水孔をなすチューブを部分的に挟持可能に構成される。これにより、より安定した給水作業が可能になる。
【００１１】
また、好ましくは、前記給水管は、前記濾過器の上部から延出するフレキ管から構成される。このようなフレキ管を用いることにより、給水管と濾過器の本体部との間のスペースを自在に調整でき、種々の形状の給水孔にも適応可能になる。
【００１２】
また、好ましくは、前記カップリングは、前記濾過器の上部の前記給水管が取り付けられた部分の反対側に回転可能に取り付けられている略Ｌ字型カップリングからなる。これにより、Ｌ字型カップリングの先端を常に下向きにすることが可能になり、ホースを下から上に向けて直線状で接続することが可能になる。
【００１３】
また、好ましくは、前記濾過器の上部には、流入口と排出口とが設けられており、該流入口と排出口は斜め下向きのほぼ直線上に位置し、前記流入口には前記略Ｌ字型カップリングが連結され、また前記流入口と前記給水管が連結されており、前記濾過器の本体部は前記上部から下向きに延出している。
【００１４】
本発明の上述したまたそれ以外の目的、構成および効果は、図面を参照して行う以下の実施例の説明からより明らかになるであろう。
【００１５】
【発明の実施の形態】
以下、図面を参照して、本発明の好適実施形態について説明する。
【００１６】
本発明の訪問入浴車用ホースアダプタが用いられる訪問入浴車は、例えば、実公平７−５１９５０に記載されているようなワンボックス型のバンであり、その後部収納スペースに、貯水タンク、ボイラなどの給湯機器、灯油タンク、送出ポンプ、配管などが設置され、またそれらの機器の空いたスペースに持ち運び可能な浴槽や入浴に必要なバケツなどの器材や送水ホースや給水ホースなどが搭載されている。持ち運び可能な浴槽には、一体型のタイプかあるいはニ分割可能なタイプが用いられる。
【００１７】
図１は、そのような訪問入浴車の主要機器の配置例の一例を示している。図中符号１は、貯水タンクであり、車両の後部収納スペースの床面後方に設置された金属製の比較的薄い略直方体のタンクからなる。この貯水タンクの側方には、灯油タンク３が配設されている。また、貯水タンク１の前方には、送出ポンプ５と、ボイラ７が配設されている。ボイラ７には、灯油タンク３から灯油が供給されるとともに、貯水タンク１から送出ポンプ５を介して水が供給され、所定の温度に加温されて温水となった後に、送出ポンプ５により送水ホース（図示せず）を介して、室内に運び込まれた浴槽（図示せず）に送出される。
【００１８】
上記貯水タンク１は、車種にもよるが、通常、１００〜３００リットル程度の容積を有しているが、前述したように１回の入浴にも１００〜２５０リットル程度の温水が使われることから、入浴終了後に訪問先で給水する必要がある。この給水用に、貯水タンク１には、給水孔１０が設けられている。給水孔１０は、通常、貯水タンク１から略上方に向かって延出する細長い蛇腹状のビニールチューブから構成されており、図２に示すように、車体の後部内側面に取り付け具とネジを介して取り付けられている。
【００１９】
図３は、本発明の訪問入浴車用ホースアダプタ２０の一実施形態を示しており、該ホースアダプタ２０は、概略、給水ホース１３が接続される略Ｌ字型のカップリング２２と、前述した細長いチューブ状の給水孔１０に差し込まれる給水管２４と、前記カップリング２２と給水管２４との間に設けられた濾過器２６とから構成されており、給水管２４が給水孔１０に差し込まれた状態で濾過器の本体部が給水孔１０をなすチューブの外側に隣接して位置するようになっている。
【００２０】
より詳しく説明するに、濾過器２６は、蓋部（上部）２６ａと、該蓋部２６ａの下部にネジにより着脱自在に設けられた下向きに延出する本体部２６ｂとからなり、また該本体部２６ｂには濾材（図示せず）が着脱自在に収容されている。この濾過器２６の蓋部２６ａには、突出したパイプ状をなす流入口２７と排出口２８とが設けられており、該流入口２７と排出口２８は斜め下向きのほぼ直線上に位置している。流入口２７には前記略Ｌ字型カップリング２２がブッシング２９を介して連結され、また前記排出口２８には前記給水管２４がネジで連結されており、流入口２７から流入した水が、濾過器本体２６ｂに収容された濾材（図示せず）を通過して濾過され、その濾過された水が排出口２８に供給されるようになっている。また、この濾過器本体２６ｂの下端部にはドレイン２６ｃが設けられている。
【００２１】
給水管２４は、金属製のフレキ管から構成されており、濾過器２６の蓋部２６ａの排出口２８から下向きに延出するように取り付けられている。すなわち、給水管２４と濾過器２６とは、給水管２４が給水孔１０に差し込まれた状態で濾過器の本体部２６ｂが給水孔１０をなすチューブの外側に隣接して位置するように構成されている。このようなフレキ管は、ある程度の強度を持った状態でどのような形状にも曲げることができかつその形状を維持できるため、給水孔１０が直線状でなくても対応でき、また給水管２４と濾過器の本体部２６ｂとの間のスペースも自在に調整でき、種々の形状の給水孔１０にも適応可能になる。このフレキ管は、本実施形態では、濾過器２６の本体部２６ｂの下端部のドレイン２６ｃより数センチ程度超えて延出する程度の長さに設定されているが、給水孔１０の形状や取り付け位置に応じて、適宜その長さを調整できる。また、その太さや内径も特に制限はなく、給水が適切に行われるように適宜選択することができる。なお、給水管２４をなすフレキ管の先端部の周囲には、先端部の鋭利な部分を覆う作業者保護用のゴム部材２５が設けられている。
【００２２】
実際の使用においては、給水孔１０がほぼ直線状であれば、濾過器２６の軸と給水管２４の軸がほぼ平行になるように給水管２４の形状を設定し、給水管２４と濾過器本体２６ｂの一部とで給水孔１０をなすチューブを部分的に挟持できるようにして使用することが好ましい。これにより、より安定した給水作業が可能になる。
【００２３】
Ｌ字型カップリング２２は、前記濾過器の蓋部２６ａの前記給水管が取り付けられた部分の反対側に回転可能に取り付けられている。これにより、Ｌ字型カップリングの先端をホースの接続に適した向き（例えば、下向き）にすることが可能になり、給水ホースを適した方向から直線状に接続することができ、従来のようにホースが折れたりすることを確実に防止できる。
【００２４】
なお、濾過器２６としては、液体中（特に、水中）の異物を濾過できる機能を有するものであれば以上の構成のものに限定されることはなく、種々の構成の濾過器を用いることが可能である。
【００２５】
次に、図４に基づいて、本実施形態にかかる訪問入浴車用ホースアダプタ２０の使用方法について説明する。
【００２６】
貯水タンク１へ給水する場合、まず、濾過器２６に対して、Ｌ字型カップリング２２の先端を給水ホース１３の接続方向（例えば、下を向き）に回転させておく。その状態で、給水ホース１３の先端をＬ字型カップリングに外れないように差し込む。次に、給水管２４を訪問入浴車の貯水タンク１の給水孔１０に差し込む。この場合、予め、給水管２４の形状を給水孔１０の形状に合わせるともに、濾過器本体２６ｂとの間で給水孔を内外から挟むように調節しておく。
【００２７】
図４は、以上のようにしてホースアダプタ２０が取り付けられた状態を示している。この状態で貯水タンク１に給水するが、給水ホース１３は、適切な方向から直線状にＬ字型カップリング２２に接続されているので、つぶれや折れが生じることがなく、給水ホース１３が外れたりすることはない。また、給水管２４は、金属製のフレキ管から構成されており、ある程度の強度を持った状態でどのような形状にも曲げることができかつその形状を維持できるため、給水孔１０に挿入された状態を確実に維持する。そして、給水管２４が給水孔１０に挿入された状態では、濾過器２６の本体部２６ｂが給水孔１０をなすチューブの外側に隣接して位置するようになっているので、濾過器２６の重さが給水孔１０の開口部に下向きに作用し、高い水圧で給水しても給水管２４が給水孔１０から抜け落ちることはない。
【００２８】
以上本発明を好適実施形態に基づいて説明したが、本発明は以上の実施形態に限定されるものでなく、種々の改良が可能である。例えば、上記実施形態ではホースアダプタを貯水タンク１の給水孔１０とは独立した着脱式の単品部品として構成しているが、このホースアダプタを車両の適宜位置に固定的に設け、給水管と貯水タンクを直接接続するように構成することも可能である。そのようにしても、ホースのつぶれや折れを防止でき、また貯水タンクにごみや藻などの異物が混入することを防止することができる。
【００２９】
また、給水管も上述した金属製のフレキ管に限定されず、変形が可能であってその形状を維持できるものであれば、他の構造のものを用いることもできる。
【００３０】
【発明の効果】
上述した本発明に係る訪問入浴車用ホースアダプタによれば、カップリングに給水ホースを取り付けて給水管を給水孔に差し込むだけで、貯水タンクへ給水することができ、ホースが折れることがなく、また給水管が給水孔に差し込まれた状態で前記濾過器の本体部が前記給水孔をなすチューブの外側に隣接して位置することができるようになっているので、安定した給水作業を行うことができ、さらに直接ホースを給水孔に差し込まずしかもカップリングと給水管の間に濾過器が設けられているので、ホースに付着した砂やホース内部の藻などが貯水タンクへ流入することを確実に防止できる。
【図面の簡単な説明】
【図１】本発明の訪問入浴車用ホースアダプタが適用される訪問入浴車の主要機器の配置例の一例を示す見取り図である。
【図２】訪問入浴車の貯水タンクの給水孔の取り付けの一例を示す説明図である。
【図３】本発明の訪問入浴車用ホースアダプタの一実施形態の分解斜視図である。
【図４】図３の実施形態の訪問入浴車用ホースアダプタが使用されている状態を示す斜視図である。
【符号の説明】
１・・・・・貯水タンク
３・・・・・灯油タンク
５・・・・・送出ポンプ
７・・・・・ボイラ
１０・・・・給水孔
１３・・・・給水ホース
２０・・・・ホースアダプタ
２２・・・・Ｌ字型カップリング
２４・・・・給水管
２５・・・・ゴム部材
２６・・・・濾過器
２６ａ・・・蓋部（上部）
２６ｂ・・・本体部
２６ｃ・・・ドレイン
２７・・・・流入口
２８・・・・排出口
２９・・・・ブッシング
【図１】
2004113288.tif 000003
【図２】
2004113288.tif 000004
【図３】
2004113288.tif 000005
【図４】
2004113288.tif 000006